(57)【要約】【課題】切り出される撮像範囲に対応する表示手段上での領域（枠）と焦点距離との関係を容易に確認できるようにする。【解決手段】ＭＰＵ１００は、撮像手段によって撮像される画像データのレイアウトを決定し（ステップＳ４０２）、当該レイアウトにおける焦点距離を記憶手段に記憶する（ステップＳ４０３／ＹＥＳ）。そしてＭＰＵ１００は、当該焦点距離によって得ることが可能な撮像範囲に対し、広角方向への所定量のズーム制御によって拡大する撮像範囲を相殺する範囲を示す枠を上記レイアウトの画像データと重畳させて表示させる。【選択図】図４
2011101176.tif 000002
【特許請求の範囲】
【請求項１】
撮像手段と、
前記撮像手段によって撮像される画像データのレイアウトを決定する決定手段と、
前記決定手段により決定されたレイアウトにおける焦点距離を記憶手段に記憶する記憶制御手段と、
前記焦点距離によって得ることが可能な撮像範囲に対し、広角方向への所定量のズーム制御によって拡大する撮像範囲を相殺する範囲を示す枠を、前記決定手段により決定されたレイアウトの画像データと重畳させて表示手段に表示させる表示制御手段とを有することを特徴とする撮像装置。
【請求項２】
前記表示制御手段は、前記枠に付随して連写速度を表示することを特徴とする請求項１に記載の撮像装置。
【請求項３】
前記枠に対応する撮像範囲まで広角方向へのズーム操作が行われることにより前記連写速度に設定する設定手段を更に有することを特徴とする請求項２に記載の撮像装置。
【請求項４】
前記表示制御手段は、複数の連写速度に対応する複数の枠を表示させることを特徴とする請求項２又は３に記載の撮像装置。
【請求項５】
当該撮像装置は、レンズ交換が可能な一眼レフレックスカメラであり、ズーム制御による焦点距離は、前記レンズとの間での通信で取得することを特徴とする請求項１乃至４の何れか１項に記載の撮像装置。
【請求項６】
前記表示制御手段は、広角側へのズーム制御の限界以下の大きさの枠を前記表示手段に表示しないことを特徴とする請求項１乃至５の何れか１項に記載の撮像装置。
【請求項７】
撮像手段によって撮像される画像データのレイアウトを決定する決定ステップと、
前記決定ステップにより決定されたレイアウトにおける焦点距離を記憶手段に記憶する記憶制御ステップと、
前記焦点距離によって得ることが可能な撮像範囲に対し、広角方向への所定量のズーム制御によって拡大する撮像範囲を相殺する範囲を示す枠を、前記決定ステップにより決定されたレイアウトの画像データと重畳させて表示手段に表示させる表示制御ステップとを含むことを特徴とする撮像装置の制御方法。
【請求項８】
撮像手段によって撮像される画像データのレイアウトを決定する決定ステップと、
前記決定ステップにより決定されたレイアウトにおける焦点距離を記憶手段に記憶する記憶制御ステップと、
前記焦点距離によって得ることが可能な撮像範囲に対し、広角方向への所定量のズーム制御によって拡大する撮像範囲を相殺する範囲を示す枠を、前記決定ステップにより決定されたレイアウトの画像データと重畳させて表示手段に表示させる表示制御ステップとをコンピュータに実行させるためのプログラム。
【発明の詳細な説明】
【技術分野】
【０００１】
本発明は、ズーム機能を有する撮像装置の技術に関するものである。
【背景技術】
【０００２】
高速連写モードを設け、撮像素子の一部の画素からのみ画像データを切り出し、画像データを読み出す技術が知られている（例えば、特許文献１参照）。この技術によれば、撮像素子からの画像データの読み出し時間が全画素領域から画像データを読み出すことと比較し、読み出し時間が短縮され、被写体の一瞬の動きを捕える高速連写撮影が可能となる。
【先行技術文献】
【特許文献】
【０００３】
【特許文献１】特開２００１−９４８５５号公報
【発明の概要】
【発明が解決しようとする課題】
【０００４】
しかしながら、上記従来技術においては、切り出される画素領域に対応する表示手段上での領域と焦点距離との関係を容易に把握することができなかった。
【０００５】
そこで、本発明の目的は、切り出される撮像範囲に対応する表示手段上での領域（枠）と焦点距離との関係を容易に確認できるようにすることにある。
【課題を解決するための手段】
【０００６】
本発明の撮像装置は、撮像手段と、前記撮像手段によって撮像される画像データのレイアウトを決定する決定手段と、前記決定手段により決定されたレイアウトにおける焦点距離を記憶手段に記憶する記憶制御手段と、前記焦点距離によって得ることが可能な撮像範囲に対し、広角方向への所定量のズーム制御によって拡大する撮像範囲を相殺する範囲を示す枠を、前記決定手段により決定されたレイアウトの画像データと重畳させて表示手段に表示させる表示制御手段とを有することを特徴とする。
【発明の効果】
【０００７】
本発明においては、決定したレイアウトにおける焦点距離によって得ることが可能な撮像範囲に対し、広角方向への所定量のズーム制御によって拡大する撮像範囲を相殺する範囲を示す枠を、当該レイアウトの画像データと重畳させて表示するようにしている。従って、本発明によれば、切り出される撮像範囲に対応する表示手段上での領域（枠）と焦点距離との関係を容易に確認できる。
【図面の簡単な説明】
【０００８】
【図１】本発明の実施形態に係るデジタル一眼レフレックスカメラの主要な構成を示すブロック図である。
【図２】単写モード時の撮像動作を示すフローチャートである。
【図３】連写モード時の撮像動作を示すフローチャートである。
【図４】高速連写モード時の撮影動作、特に表示枠の表示方法および拡大方法を示すフローチャートである。
【図５】高速連写モード時の撮像動作で特に高速連写の方法を示すフローチャートである。
【図６】高速連写モードにて撮影者が確認する表示例を示す図である。
【図７−１】連写モードでの動作シーケンスを示す図である。
【図７−２】高速連写モードでの動作シーケンスを示す図である。
【発明を実施するための形態】
【０００９】
以下、本発明を適用した好適な実施形態を、添付図面を参照しながら詳細に説明する。なお、以下に説明する実施形態は本発明を限定するものでない。また、本実施形態で説明されている特徴の組み合わせの全てが本発明に必須のものとは限らない。
【００１０】
図１は、本発明の実施形態に係るレンズ交換可能なデジタル一眼レフレックスカメラの主要な構成を示すブロック図である。１００は、カメラ本体に内蔵されたマイクロコンピュータからなる中央処理装置（以下、ＭＰＵという）である。ＭＰＵ１００は、カメラの動作制御を司るものであり、各要素に対して様々な処理や指示を実行する。１００ａはＭＰＵ１００に内蔵されたＥＥＰＲＯＭであり、時刻計測回路１０５の計時情報やその他の情報を記憶可能である。ＭＰＵ１００には、ミラー駆動回路１０１、焦点駆動回路１０２、シャッタ駆動回路１０３、映像信号処理回路１０８、スイッチセンス回路１１７、測光回路１１６が接続されている。また、液晶表示駆動回路１０７、バッテリチェック回路１１１、時刻計測回路１０５、電源供給回路１１０、圧電素子駆動回路１０４もＭＰＵ１００に接続されている。これらの回路はＭＰＵ１００の制御により動作するものである。
【００１１】
また、ＭＰＵ１００は、撮影レンズユニット内に配置されたレンズ制御回路２０１と、マウント接点３１を介して通信を行う。マウント接点３１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００及び絞り２０４の駆動を、ＡＦ駆動回路２０２及び絞り駆動回路２０３を介して行うことが可能となる。また、本実施形態では、通信により、レンズ制御回路２０１はレンズの焦点距離情報をＭＰＵ１００へ送信する。
【００１２】
ＭＰＵ１００は、焦点距離記憶スイッチ２３オンの信号を受け、レンズ制御回路２０１から焦点距離情報を受け取り、一時メモリ１０６へ記憶する。なお、本実施形態では撮影レンズ２００は便宜上１枚のレンズで示しているが、実際は多数のレンズ群により構成されている。
【００１３】
ＡＦ駆動回路２０２は、例えばステッピングモータによって構成され、レンズ制御回路２０１の制御によって撮影レンズ２００内のフォーカスレンズ位置を変化させることにより、撮像素子（撮像手段）７に撮影光束の焦点を合わせるように調整する。絞り駆動回路２０３は、例えばオートアイリスなどによって構成され、レンズ制御回路２０１によって絞り２０４を変化させ、光学的な絞り値を得るように構成されている。本実施形態では、ズーム操作が可能なズームレンズを使用することが望ましい。ズームレンズの詳細は、公知のため省略する。
【００１４】
クイックリターンミラー６は、撮影レンズ２００を通過する撮影光束をペンタプリズム２へ導くとともに、その一部を透過させてサブミラー５に導く。サブミラー５は、透過した撮影光束を焦点検出用センサユニット３０へ導く。ミラー駆動回路１０１は、このクイックリターンミラー６を、ファインダにより被写体像を観察可能とする位置と、撮影光束から待避する位置とへ駆動するものである。また、この動作と同時にサブミラー５を焦点検出用センサユニット３０へ撮影光束を導く位置と撮影光束から待避する位置とへ駆動する。具体的には、ミラー駆動回路１０１は例えばＤＣモータとギヤトレインなどから構成される。
【００１５】
焦点検出用センサユニット３０は、不図示の結像面近傍に配置されたフィールドレンズ、反射ミラー、２次結像レンズ、絞り、複数のＣＣＤから成るラインセンサ等から構成されている周知の位相差方式の焦点検出センサユニットである。この焦点検出センサユニット３０から出力された信号は、焦点駆動回路１０２へ供給され、被写体像信号に換算された後、ＭＰＵ１００へ送信される。ＭＰＵ１００は、この被写体像信号に基づいて、位相差検出法による焦点検出演算を行う。そして、ＭＰＵ１００は、デフォーカス量及びデフォーカス方向を求め、これに基づき、レンズ制御回路２０１及びＡＦ駆動回路２０２を介して、撮影レンズ２００内のフォーカスレンズを合焦位置まで駆動する。
【００１６】
ペンタプリズム２は、クイックリターンミラー４によって反射された撮影光束を正立正像に変換反射する光学部材である。使用者は、ファインダ光学系を介して、ファインダ接眼窓３から被写体像を観察することができる。またペンタプリズム２は、撮影光束の一部を測光センサ１１５にも導く。測光回路１１６は、この測光センサ１１５の出力を得て、観察面上の各エリアの輝度信号に変換し、ＭＰＵ１００に出力する。ＭＰＵ１００は、こうして得られる輝度信号から露出値を算出する。
【００１７】
６は機械式のフォーカルプレーンシャッタであり、撮影者がファインダにより被写体像を観察している時には撮影光束を遮る。また撮像時にはレリーズ信号に応じて、不図示の先羽根群と後羽根群の走行する時間差により所望の露光時間を得るように構成されている。フォーカルプレーンシャッタ６は、ＭＰＵ１００の指令を受けたシャッタ駆動回路１０３によって制御される。
【００１８】
７は撮像素子であり、例えば撮像デバイスであるＣＭＯＳが用いられる。この撮像デバイスには、ＣＣＤ型、ＣＭＯＳ型およびＣＩＤ型など様々な形態があり、何れの形態の撮像デバイスを採用してもよい。撮像素子７の撮像視野の領域で露光した光が撮像される。
【００１９】
１１２はクランプ／ＣＤＳ（相関二重サンプリング）回路であり、Ａ／Ｄ変換する前の基本的なアナログ処理を行うとともに、クランプレベルの変更も可能である。１１３はＡＧＣ（自動利得調整回路）であり、Ａ／Ｄ変換する前の基本的なアナログ処理を行うとともに、ＡＧＣ基本レベルの変更も可能である。１１４はＡ／Ｄ変換器であり、撮像素子７のアナログ出力信号をデジタル信号に変換する。
【００２０】
９は略矩形の形状を有する赤外線カットフィルタであり、撮像素子７に入射される光束の不要な赤外光をカットする。また、異物の付着を防止するために、表面は導電性物質で覆われている。
【００２１】
１０は略矩形の形状を有する光学ローパスフィルタであり、水晶等からなる複屈折板及び位相板を複数枚貼り合わせて積層されている。光学ローパスフィルタ１０は、撮像素子７に入射される光束を複数に分離し、偽解像信号や偽色信号の発生を効果的に低減させる。
【００２２】
８は光学ローパスフィルタ１０に振動を与える加振部材であり、本実施形態では圧電素子を用いている。圧電素子８は、ＭＰＵ１００から指令を受けた圧電素子駆動回路１０４により加振され、赤外線カットフィルタ９と一体的に振動するように構成されている。１１は、光学ローパスフィルタ１０、赤外線カットフィルタ９、圧電素子８、撮像素子７と後述する他の部品と共にユニット化された撮像ユニットである。
【００２３】
映像信号処理回路１０８は、デジタル化された画像データに対してガンマ／ニー処理、フィルタ処理、モニタ表示用の情報合成処理など、画像処理全般を実行する。この映像信号処理回路１０８からのモニタ表示用の画像データは、カラー液晶駆動回路１０９を介してカラー液晶モニタ１９に表示される。
【００２４】
また、映像信号処理回路１０８は、ＭＰＵ１００からの指示により、メモリコントローラ２７を通じて、バッファメモリ２６に画像データを保存することも可能である。更に、映像信号処理回路１０８は、ＪＰＥＧなどの画像データ圧縮処理を行う機能も有している。連写撮影など連続して撮影が行われる場合、映像信号処理回路１０８は、一旦バッファメモリ２６に画像データを格納し、メモリコントローラ２７を通して未処理の画像データを順次読み出すことも可能である。これにより、映像信号処理回路１０８は、Ａ／Ｄ変換器１１４から入力されてくる画像データの速度に関わらず、画像処理や圧縮処理を順次行うことが可能となる。
【００２５】
メモリコントローラ２７は、外部インタフェース２９から入力される画像データをメモリ２８に記憶する機能を有する。また、メモリコントローラ２７は、メモリ２８に記憶されている画像データを外部インタフェース２９から出力する機能も有する。なお、メモリ２８は、カメラ本体に対して着脱可能なフラッシュメモリなどである。
【００２６】
スイッチセンス回路１１７は、各スイッチの操作状態に応じて入力信号をＭＰＵ１００に送信する。１６は、シャッタボタンの第１ストローク（半押し）によりオンするスイッチ１である。１７は、シャッタボタンの第２ストローク（全押し）によりオンするスイッチ２である。スイッチ２（１７）がオンされると、撮影開始がＭＰＵ１００に指示される。また、スイッチセンス回路１１７には、メイン操作ダイヤルスイッチ１２、サブ操作ダイヤルスイッチ１３、撮影モード設定ダイヤル２２、メインスイッチ２４、クリーニング指示部材２５、焦点距離記憶スイッチ２３が接続されている。
【００２７】
液晶表示駆動回路１０７は、ＭＰＵ１００の指示に従って、外部液晶表示装置２０やファインダ内液晶表示器２１を駆動する。１１１はバッテリチェック回路であり、ＭＰＵ１００からの信号に従って所定時間バッテリチェックを行い、その検出結果をＭＰＵ１００へ送る。１８は電源部であり、カメラの各要素に対して必要な電源を供給する。時刻計測回路１０５は、メインスイッチ２４がオフされて次にオンされるまでの時間や日付を計測し、ＭＰＵ１００からの指令により、その計測結果をＭＰＵ１００へ送信することができる。
【００２８】
次に、本実施形態に係るデジタル一眼レフレックスカメラの撮像動作について説明する。図２は単写モード時の撮像動作を示すフローチャートである。Ｓ２０１において、ＭＰＵ１００は、単写モードであるかそれ以外のモードであるかを判別する。単写モードである場合、Ｓ２０２において、ＭＰＵ１００は、シャッタボタンの第１ストロークによりオンするスイッチ１（１６）がオンされているか否かを判別する。一方、単写モード以外のモードである場合、後述する図３のＳ３０１に移行する。
【００２９】
Ｓ２０３において、測光回路１１６は被写体輝度ＢＶ値を測定する。Ｓ２０４において、ＭＰＵ１００は、被写体輝度ＢＶ値の測定結果に基づいて露出演算をする。Ｓ２０５において、ＭＰＵ１００は、露出演算の結果に基づいて周知のプログラム線図（不図示）に従ってシャッタ速度、絞り値を決定する。Ｓ２０６において、ＭＰＵ１００は、レンズの駆動を禁止する。Ｓ２０７において、ＭＰＵ１００は、シャッタボタンの第２ストロークによりオンするスイッチ２（１７）がオンされているか否かを判別する。
【００３０】
Ｓ２０８において、ミラー駆動回路１０１はクイックリターンミラー４を撮影光束から待避する位置へ駆動する。以下、この駆動動作をミラーアップ動作と称す。Ｓ２０９では、機械式フォーカルプレーンシャッタ６の不図示の先羽根郡が走行し、撮像素子７が撮像視野の領域で露光する。Ｓ２１０は、露光が行われていることを示している。撮像素子７は露光により電荷を蓄積する。Ｓ２１１では、機械式フォーカルプレーンシャッタ６の不図示の後羽根郡が走行し、撮像素子７に入光する光を遮断する。Ｓ２１２は、撮像素子７にて蓄積された電荷を読み出す動作を示している。Ｓ２１３において、ミラー駆動回路１０１は、クイックリターンミラー４を、ファインダにより被写体像を観察可能とする位置へ戻す。以下、この駆動動作をミラーダウン動作と称す。また、映像信号処理回路１０８は、Ｓ２１２で読み出された画像データをバッファメモリ２６に格納（電荷記憶）し、ＪＰＥＧなどに画像データ圧縮処理（画像圧縮）を行う。Ｓ２１４において、メモリコントローラ２７は圧縮された画像データをメモリ２８に記録（画像記録）する。画像記録が完了すると、撮影を完了する。
【００３１】
図３は連写モード時の撮像動作を示すフローチャートである。図２のＳ２０１にて単写モード以外のモードと判断された場合、図３に示す連写モードの撮像動作に移行する。Ｓ３０１において、ＭＰＵ１００は、連写モードかそれ以外のモードかを判別する。連写モードであると判別された場合、Ｓ３０２からの処理に移行し、連写モード以外のモードであると判別された場合、図４のＳ４０１からの処理に移行する。なお、Ｓ３０２からＳ３１３までは単写モード時のＳ２０２からＳ２１３までの撮像動作と同様であるので説明を省略する。Ｓ３１４において、ＭＰＵ１００は、シャッタボタンの第２ストロークによりオンするスイッチ２（１７）がオンされているか否かを判別する。スイッチ２（１７）がオンである場合、ＭＰＵ１００は連続撮影中であると判断し、Ｓ３０８に戻る。一方、スイッチ２（１７）がオフである場合、ステップＳ３１５において、ＭＰＵ１００は連続撮影終了であると判断し、メモリコントローラ２７は画像圧縮により圧縮された画像データをメモリ２８に記録（画像記録）する。画像記録が完了すると、撮影を完了する。
【００３２】
次に、本実施形態に係るデジタル一眼レフレックスカメラの高速連写モード時の動作について説明する。図４は高速連写モード時の撮影動作、特に表示枠の表示方法および拡大方法を示すフローチャートである。本実施形態においては、光学的に画角を変化させることが可能なズームレンズを使用し、少なくともズームレンズの最小焦点距離以上で撮影する画角を決定することが望ましい。図３のＳ３０１にて連写モード以外のモードと判定された場合、図４に示す高速連写モードの撮影動作に移行する。
【００３３】
Ｓ４０１において、ＭＰＵ１００は、高速連写モードであるか否かを判定する。高速連写モードでない場合は図２のＳ２０１に戻る。一方、高速連写モードである場合はＳ４０２に移る。Ｓ４０２において、ＭＰＵ１００は、撮影者の操作に応じて撮影画像の被写体と背景のレイアウト（撮像枠）とを決定する。Ｓ４０３において、ＭＰＵ１００は、撮影者の操作により一時メモリ１０６に焦点距離情報を記憶したか否かを判別する。焦点距離情報の記憶操作は撮影者により行われ、設定方法は、焦点距離記憶動作専用のスイッチもしくは他のスイッチと兼用して撮像装置外装に設けるなど考えられる。本実施形態では焦点距離情報の記憶操作は、焦点距離記憶スイッチ２３をオンにすることで行っている。なお、ステップＳ４０２は本発明の決定手段の処理例である。また、焦点距離情報を記憶する処理は本発明の記憶制御手段の処理例である。
【００３４】
Ｓ４０４では、ＭＰＵ１００は、記憶した焦点距離情報ＬをＬｍという変数に置き換えている。ここでＬｍを記憶することで、Ｓ４０２で決定した撮像枠が記憶されたこととほぼ同等となる。Ｓ４０５では、映像信号処理回路１０８は、カラー液晶モニタ１９において表示される全表示領域内に複数（ｎ個）の表示枠を表示する。本実施形態では、後述の図６のａ１、ａ２のように全表示領域ａ０以外に表示枠を２つ表示する。表示枠は、Ｓ４０４にて置き換えた焦点距離情報Ｌｍに応じた表示枠であり、全表示領域内に表示された撮像画像に重畳させて表示している。また、上記複数の表示枠のそれぞれは、対応する連写速度で撮影されたときに撮像素子７から画像データが出力される一部領域に対応する表示枠である。即ち、図６において、全表示領域ａ０は５ｆ／ｓｅｃで撮影された場合に撮像素子７から画像データが出力される領域に対応する表示領域である。表示枠ａ１は１０ｆ／ｓｅｃで撮影された場合に撮像素子７から画像データが出力される領域に対応する表示枠である。表示枠ａ２は１５ｆ／ｓｅｃで撮影された場合に撮像素子７から画像データが出力される領域に対応する表示枠である。
【００３５】
ここで、表示枠の範囲の決定方法について説明する。表示枠の範囲の決定方法については、連写速度によるもの、撮像画像の記録容量によるもの、捕らえたい被写体の範囲によるものなど考えられる。本実施形態では、連写速度による表示枠の範囲の決定方法について説明する。
【００３６】
撮像素子７の縦、横のサイズを（Ｘｆ，Ｙｆ）とすると（３５ｍｍ判の撮像素子であれば、Ｘｆ＝２４ｍｍ、Ｙｆ＝３６ｍｍ）、ＭＰＵ１００は、Ｓ４０４で記憶した焦点距離情報Ｌｍによる撮像枠に対応した撮像素子７の縦、横サイズを（Ｘｍ，Ｙｍ）とする。以下、上記撮像素子７の縦、横サイズを撮像領域と称す。Ｓ４０３で焦点距離情報の記憶操作が行われた直後では、通常、Ｘｍ＝Ｘｆ、Ｙｍ＝Ｙｆである。ここでズーム操作により焦点距離が広角側のＬ（ｉ）に移動したと仮定したとき、撮像領域（Ｘｍ，Ｙｍ）に相当する撮像領域（Ｘ（ｉ）,Ｙ（ｉ））は、後述の式（１）、式（２）により算出される。撮像領域（Ｘ（ｉ）,Ｙ（ｉ））において、焦点距離情報Ｌｍに対する焦点距離情報Ｌ（ｉ）でのズーム倍率は、Ｚ（ｉ）＝Ｌ（ｉ）／Ｌｍとなる。ここで、撮像領域（Ｘ（ｉ）,Ｙ（ｉ））は、次のように表わされる。
【００３７】
【数１】
2011101176.tif 000003
【００３８】
撮像素子７の撮像領域（Ｘ（ｉ）,Ｙ（ｉ））に対応した枠を全表示領域内に表示したものが表示枠である。ここで、焦点距離Ｌ（ｉ）が使用しているレンズの焦点距離変更範囲外であれば、表示枠を表示しないようにすることが望ましい。また、撮像素子７の全画素数をＧｆ、撮像領域（Ｘ（ｉ）,Ｙ（ｉ））内の撮像素子７の画素数をＧ（ｉ）とすると、Ｇ（ｉ）は次のようになる。
【００３９】
【数２】
2011101176.tif 000004
【００４０】
高速連写モードでは、連写速度は、撮像素子７からの電荷の読み出し時間に反比例する。そのため、撮像素子７の全画素から電荷を画像データとして読み出したときの連写速度をＶｆ、撮像領域（Ｘ（ｉ）,Ｙ（ｉ））内の撮像素子７から電荷を読み出した時の連写速度をＶ（ｉ）とすると、Ｖ（ｉ）は次のようになる。
【００４１】
【数３】
2011101176.tif 000005
【００４２】
式（１）から式（４）により連写速度を演算し、撮像領域を決定し、これに対応した表示枠の範囲を決定する。ここで後述の図６のように３５ｍｍ判の撮像素子７を用いた場合で、連写速度を、Ｖｆ＝５から２倍のＶ（ａ１）＝１０にするような表示枠ａ１を演算することを仮定したとき、式（４）よりＺ（ａ１）＝１／２となる。撮像領域（Ｘｍ＝Ｘｆ,Ｙｍ＝Ｙｆ）とすると、式（１）、式（２）より表示枠ａ１の枠の範囲（Ｘ（ａ１）,Ｙ（ａ１））は、次のように表わされる。
【００４３】
【数４】
2011101176.tif 000006
【００４４】
以下、説明の便宜上、撮像領域と表示枠の範囲とを同等と考え、それらを総称して表示枠の範囲と称す。Ｓ４０６において、ＭＰＵ１００は、変数ｉ（整数）を０に初期化する。本実施形態では、変数ｉに対応して変化する変数は、対応する表示枠を示すＤ（０〜ｎ）、その表示枠に対応する焦点距離Ｌ（０〜ｎ）、上記表示枠の範囲（Ｘ（０〜ｎ）,Ｙ（０〜ｎ））、ズーム倍率Ｚ（０〜ｎ）である。ここで便宜上、表示枠Ｄ（ｉ）には焦点距離Ｌ（ｉ）、表示枠の範囲（Ｘ（ｉ）,Ｙ（ｉ））、ズーム倍率Ｚ（ｉ）が格納されていると定義する。Ｓ４０７は撮影者が行う光学ズーム操作を表している。通常、一眼レフレックスカメラでの光学ズーム操作は、レンズに搭載されたズーム環を回転させて行う。
【００４５】
Ｓ４０８では、高速連写モード中にＳ４０３によって焦点距離情報の記録操作が行われた場合、Ｓ４０７での光学ズーム操作によって変化する焦点距離情報を、常にＭＰＵ１００と、撮影レンズユニット内に配置されたレンズ制御回路２０１との間でマウント接点３１を介して通信を行うことでレンズから本体側に送信されている。これによりカメラ本体は焦点距離情報を取得することができる。Ｓ４０９では、ＭＰＵ１００は、Ｓ４０３で記憶した焦点距離情報Ｌｍよりも光学ズーム操作を行ったときの焦点距離情報Ｌｘが広角側にあるか、望遠側にあるかを判定している。広角側にある場合はＬｘ≦Ｌｍとなる。ここでＬｘとは、Ｓ４０７で光学ズーム操作を行い、焦点距離Ｌが変化したときの焦点距離を示す。焦点距離Ｌｘは、Ｓ４０８により常にモニタリングされ、カメラ内に通信されている。Ｌｘ＞Ｌｍの場合は、Ｓ４０２にて決定した撮像枠では高速連写撮影できないことを表し、Ｓ４０３の操作に戻ることを指示している。
【００４６】
Ｓ４１０では、ＭＰＵ１００は、ズーム操作により変化している焦点距離ＬｘとＳ４０５によって表示された表示枠に対応するＬ（ｉ）との関係が、Ｌｘ≦Ｌ（ｉ）であるか否かを判定している。Ｓ４１０にてＬｘ≦Ｌ（ｉ）と判定された場合、Ｓ４１１において、ＭＰＵ１００は、表示枠Ｄ（ｉ）に対応した連写速度で撮像を行う設定に切り替えることを示している。ここで、表示枠Ｄ（ｉ）に対応した連写速度とは、連写速度が表示枠Ｄ（ｉ）に格納された焦点距離Ｌ（ｉ）、表示枠の範囲（Ｘ（ｉ）,Ｙ（ｉ））、ズーム倍率Ｚ（ｉ）により、Ｓ４０５で算出された連写速度である。なお、Ｓ４１１は本発明の設定手段の処理例である。
【００４７】
Ｓ４１２において、ＭＰＵ１００は、状態変数ｉをｉ＋１に更新する。Ｓ４１３において、ＭＰＵ１００は、ズーム操作により変化している焦点距離ＬｘとＳ４０５によって表示された表示枠に対応するＬ（ｉ）との関係が、Ｌｘ≦Ｌ（ｉ）であるかを判定する。Ｌｘ≦Ｌ（ｉ）である場合、処理はＳ４１１に戻る。一方、Ｌｘ≦Ｌ（ｉ）ではない場合（Ｌｘ＞Ｌ（ｉ）である場合）、処理はＳ４１４に移る。Ｓ４１４において、ＭＰＵ１００は、撮影者によるズーム操作が完了したか否かを判定する。ズーム操作が完了していない場合、Ｓ４１５において、ＭＰＵ１００は、Ｌｘ＞Ｌ（ｉ）であるかを判定する。Ｌｘ＞Ｌ（ｉ）と判定された場合、Ｓ４１６へ進む。Ｓ４１６において、ＭＰＵ１００は、状態変数ｉをｉ−１とする。一方、Ｌｘ＞Ｌ（ｉ）ではない場合（Ｌｘ≦Ｌ（ｉ）である場合）、Ｓ４１３に戻る。
【００４８】
ところで、Ｓ４１４においてズーム操作が完了したと判定された場合、Ｓ４１７において、ＭＰＵ１００は、シャッタボタンの第１ストロークによりオンするスイッチ１（１６）がオンされているか否かを判定する。スイッチ１（１６）がオンでない場合はＳ４２３へ進み、ＭＰＵ１００は高速連写モードであるか否か再度確認をする。高速連写モードである場合、Ｓ４１７に戻る。一方、高速連写モードでない場合、図２のＳ２０１に戻る。また、Ｓ４１７においてスイッチ１（１６）がオンであると判定された場合、ＭＰＵ１００は、表示枠Ｄ（ｉ）に対応した撮像素子７の画素領域にて表示枠Ｄ（ｉ）に対応した連写速度で撮像を行うことを決定し、Ｓ４１８に進む。Ｓ４１８からＳ４２１までは単写時の撮像動作の説明と重複するので省略する。Ｓ４２２においては、ＭＰＵ１００は、スイッチ２（１７）がオンであるか否かを判定する。スイッチ２（１７）がオンである場合、後述する図５に示す処理に移行する。一方、スイッチ２（１７）がオンではない場合、Ｓ４１８に戻る。
【００４９】
以上のＳ４０１からＳ４２２の動作を行うことで被写体を表示枠に収めることが簡便となり、撮影者はあらゆるシーンにおいても被写体を捕らえたまま、簡便に連写速度、撮像画像の記録サイズ、表示枠の範囲などの撮影設定を変更することが可能となる。
【００５０】
図５は、高速連写モード時の撮像動作で特に高速連写の方法を示すフローチャートである。Ｓ５０１、Ｓ５０２については単写時の撮像動作（Ｓ２０８、Ｓ２０９）の説明と重複するので省略する。また、Ｓ５０３からＳ５０６については便宜上、図７−１、図７−２を用いて説明する。
【００５１】
図７−１は、連写モードでの動作シーケンス（タイムチャート）を示している。スイッチ２（１７）の信号を受けてミラー（クイックリターンミラー４）はミラーアップし、ミラーアップにより機械式フォーカルプレーンシャッタ６の不図示の先羽根郡が走行し、撮像素子７が撮像視野の領域で露光することを可能としている。機械式フォーカルプレーンシャッタ６の不図示の先羽根郡の走行により、撮像素子７は蓄積を開始し、機械式フォーカルプレーンシャッタ６の不図示の後羽根郡が走行を完了すると撮像素子７は蓄積を完了し、読み出しを開始する。読み出し完了後に画像データ圧縮、画像データ転送を行っている。
【００５２】
図７−２は、高速連写モードでの動作シーケンスを示している。スイッチ２（１７）の信号を受けてミラー（クイックリターンミラー４）はミラーアップし、ミラーアップにより機械式フォーカルプレーンシャッタ６の不図示の先羽根郡が走行し、撮像素子７が撮像視野の領域で露光することを可能としている。機械式フォーカルプレーンシャッタ６の不図示の先羽根郡の走行により、撮像素子７は蓄積を開始する。
【００５３】
蓄積時間はシャッタ速度により変化するが、高速連写モードでのシャッタ速度は、最も低い状態でも蓄積時間と読み出し時間が同等となるように制御する。ここで、連写シーケンスと違うのが、撮像素子７は蓄積完了後、読み出しを開始するが、読み出し完了後も機械式フォーカルプレーンシャッタ６の不図示の後羽根郡が走行を行わず、蓄積、読み出しを繰り返す。
【００５４】
スイッチ２（１７）のオフの信号を受けて撮像素子７は蓄積、読み出しを完了し、データ圧縮、データ転送動作、機械式フォーカルプレーンシャッタ６の不図示の後羽根郡の走行、クイックリターンミラー４のミラーダウン操作を行うように制御している。Ｓ５０３では撮像素子７が露光を行うことを示している。ここで撮像素子７は、連写速度に対応した表示枠の範囲のみで電荷を蓄積し、読み出しを行う。
【００５５】
Ｓ５０４では、ＭＰＵ１００は、読み出された画像データをバッファメモリ２６に画像データを格納（記憶）する。Ｓ５０５では、ＭＰＵ１００は、シャッタボタンの第２ストロークによりオンするスイッチ２（１７）がオンされているか否かを判別する。スイッチ２（１７）がオンである場合、処理はＳ５０３に戻る。一方、スイッチ２（１７）がオフである場合、処理はＳ５０６に移る。Ｓ５０６からＳ５０８は単写時の撮像動作（Ｓ２１３、Ｓ２１４）の説明と重複するので省略する。
【００５６】
図６は、高速連写モードにて撮影者が確認する表示例を示す図である。単写・連写モードでは図６（ａ）のように表示枠は表示されていない。図６（ｂ）は、高速連写モードに移行し、撮像画像の被写体と背景のレイアウト（撮像枠）を決定したときの表示を示している。ｂ１、ｂ２のようにそれぞれ連写速度に対応した表示枠ａ１、ａ２を表示している。表示枠は便宜上２つ表示している。図６（ｃ）は、撮影者がズーム操作を行い、表示枠ａ１に対応した焦点距離Ｌ１とズーム操作により変化する焦点距離Ｌｘとが一致した瞬間の表示を示している。ここでＬ１≧Ｌｘであれば連写速度の設定は１０ｆ／ｓｅｃに切り替えられ、表示枠ａ１に対応した撮像素子７の画素領域のみを記録する設定となる。また、ズーム操作により、焦点距離がＬ１≧Ｌｘになったことを撮影者に知らせるために表示枠の枠線の大きさをｃ１のように変更している。なお、焦点距離がＬ１≧Ｌｘになったことを撮影者に知らせる方法は、ｃ１のような方法に限られない。図６（ｄ）は、撮影者がズーム操作を行い、表示枠ａ２に対応した焦点距離Ｌ２とズームミング操作により変化する焦点距離Ｌｘとが一致したときの表示を示している。ここでＬ２≧Ｌｘであれば、連写速度の設定は１５ｆ／ｓｅｃに切り替えられ、表示枠ａ２に対応した撮像素子７の画素領域のみを記録する設定となる。また、ズーム操作により、焦点距離がＬ２≧Ｌｘになったことを撮影者に知らせるために表示枠の枠線の太さをｃ２のように変更している。なお、連写速度ｂ０、ｂ１、ｂ２を各表示枠ｂ０、ｂ１、ｂ２に付随して表示するようにしてもよい。これにより、撮影者は表示枠と連写速度との関係を把握することが可能となる。また、図６（ｂ）のように、表示枠ａ１、ａ２を画像データと重畳させて表示させる処理は本発明の表示制御手段の処理例である。
【００５７】
本実施形態においては、決定したレイアウトにおける焦点距離によって得ることが可能な撮像領域に対し、広角方向への所定量のズーム制御によって拡大する撮像領域を相殺する領域を示す表示枠を、撮像した画像データと重畳させて表示するようにしている。従って、本実施形態によれば、撮影者は切り出される撮像範囲に対応する表示手段上での領域（枠）と焦点距離との関係を容易に確認することができる。
【００５８】
また本実施形態においては、或る表示枠に対応する撮像領域まで広角方向へのズーム操作が行われることにより、当該表示枠に該当する連写速度に設定するように構成している。従って、撮影者はズーム操作を行うだけで表示枠と連写速度との変更を行うことが可能となり、被写体を捕えながらの表示枠や連写速度との設定変更が簡便になる。従って、あらゆるシーンにおいても適正な表示枠と連写速度にて撮影を行うことができる。
【００５９】
また本実施形態においては、複数の連写速度に対応して複数の表示枠を表示するように構成している。従って、本実施形態によれば、複数の表示枠、複数の連写速度から最適な設定を選択することができる。
【００６０】
装着されるレンズはその種類によって変更可能な焦点距離範囲が異なり、焦点距離範囲により設定可能な表示枠と連写速度とが変化する。これに対し、本実施形態においては、広角側へのズーム制御の限界以下の大きさの表示枠を表示しないようにしている。これにより、撮影者は設定不可能な表示枠、連写速度では撮影不可能であることを把握することができ、誤操作を防止することが可能となる。
【００６１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６２】
４：クイックリターンミラー、６：機械式フォーカルプレーンシャッタ、７：撮像素子、スイッチ１：１６、スイッチ２：１７、２７：メモリコントローラ、２８：メモリ、１００：マイクロコンピュータ（ＭＰＵ）、１０８：映像信号処理回路
【図１】
2011101176.tif 000007
【図２】
2011101176.tif 000008
【図３】
2011101176.tif 000009
【図４】
2011101176.tif 000010
【図５】
2011101176.tif 000011
【図６】
2011101176.tif 000012
【図７−１】
2011101176.tif 000013
【図７−２】
2011101176.tif 000014